(57)【要約】  巻き取り式ディスプレイシステム（５０）は、棒状体（７０）と、棒状体（７０）に巻き付けられるように構造的に構成されたフレキシブルディスプレイ（６０）と、フレキシブルディスプレイ（６０）を支持するように構造的に構成されたヒンジ付きフレームと、を用いる。フレキシブルディスプレイ（６０）は、棒状体（７０）に巻き付けられて、フレキシブルディスプレイ（６０）の収納を容易にし、棒状体（７０）から広げられて、フレキシブルディスプレイの動作を容易にする。ヒンジ付きフレームは、フレキシブルディスプレイ（６０）が棒状体（７０）に巻き付けられるのに応じて、フレキシブルディスプレイ（６０）を、棒状体（７０）に対して収納位置に固定するための曲線構成と、フレキシブルディスプレイ（６０）が棒状体（７０）から広げられるのに応じて、フレキシブルディスプレイ（６０）を、棒状体（７０）に対して動作位置に固定するための平面構成と、を有する。
2010508557.tif 000002
【特許請求の範囲】
【請求項１】
巻き取り式ディスプレイシステムであって、
棒状体（４０）と、
前記棒状体（４０）に巻き付けられるように構造的に構成されたフレキシブルディスプレイ（２１）であって、前記棒状体（４０）に巻き付けられて、前記フレキシブルディスプレイ（２１）の収納を容易にし、前記棒状体（４０）から広げられて、前記フレキシブルディスプレイ（２１）の動作を容易にする、フレキシブルディスプレイ（２１）と、
前記フレキシブルディスプレイ（２１）を支持するように構造的に構成されたヒンジ付きフレーム（３０）であって、前記フレキシブルディスプレイ（２１）が前記棒状体（４０）に巻き付けられるのに応じて、前記フレキシブルディスプレイ（２１）を、前記棒状体（４０）に対して収納位置に固定するための曲線構成と、前記フレキシブルディスプレイ（２１）が前記棒状体（４０）から広げられるのに応じて、前記フレキシブルディスプレイ（２１）を、前記棒状体（４０）に対して動作位置に固定するための平面構成と、を有するヒンジ付きフレーム（３０）と、
を備えることを特徴とする巻き取り式ディスプレイシステム。
【請求項２】
前記ヒンジ付きフレーム（３０）は、少なくとも１つの固定ベースサポート（３１、３２）にヒンジ接続され、前記曲線構成と前記平面構成の間で前記ヒンジ付きフレーム（３０）の移動を容易にする、少なくとも１つのヒンジサポート（３３、３４）をさらに含む、ことを特徴とする請求項１に記載の巻き取り式ディスプレイシステム。
【請求項３】
前記フレキシブルディスプレイ（２１）の前記収納位置は、閉状態にある各ヒンジサポート（３１、３４）に応じた、前記ヒンジ付きフレーム（３０）により定義された曲線断面である、ことを特徴とする請求項２に記載の巻き取り式ディスプレイシステム。
【請求項４】
前記フレキシブルディスプレイ（２１）の前記動作位置は、開状態にある各ヒンジサポート（３３、３４）に応じた、前記ヒンジ付きフレーム（３０）により定義された平面断面である、ことを特徴とする請求項２に記載の巻き取り式ディスプレイシステム。
【請求項５】
前記フレキシブルディスプレイの前記収納位置において、前記フレキシブルディスプレイ（２１）のディスプレイセグメント（ＤＳ２）が、少なくとも局部的にほぼ一定の半径（Ｒ１）を有する曲線断面であり、前記断面は、前記棒状体の断面に適合されている、ことを特徴とする請求項２に記載の巻き取り式ディスプレイシステム。
【請求項６】
第１のヒンジサポート（３４）が、第１のヒンジ位置（ＨＰ１）で第１の固定ベースサポート（３１）にヒンジ接続され、第２のヒンジ位置（ＨＰ２）で第２の固定ベースサポート（３２）にヒンジ接続され、
前記フレキシブルディスプレイ（２１）のディスプレイセグメント（ＤＳ２）が、前記第１のヒンジサポート（３４）に隣接しており、前記ヒンジ付きフレーム（３０）に取り付けられていない、ことを特徴とする請求項２に記載の巻き取り式ディスプレイシステム。
【請求項７】
前記第１のディスプレイセグメント（ＤＳ２）の長さに関する開状態において、前記第１のヒンジサポート（３４）を横断する、前記第１のヒンジ位置（ＨＰ１）と前記第２のヒンジ位置（ＨＰ２）との間の距離は、前記ヒンジ付きフレーム（３０）が前記曲線構成にされることに応じて、前記ディスプレイセグメント（ＤＳ２）を、前記第１のヒンジサポート（３４）内で均一にしまい込むことを容易にする、ことを特徴とする請求項６に記載の巻き取り式ディスプレイシステム。
【請求項８】
前記第１のディスプレイセグメント（ＤＳ２）の長さに関する開状態において、前記第１のヒンジサポート（３４）を横断する、前記第１のヒンジ位置（ＨＰ１）と前記第２のヒンジ位置（ＨＰ２）との間の距離は、前記ヒンジ付きフレーム（３０）が前記平面構成にされることに応じて、前記ディスプレイセグメント（ＤＳ２）が、前記第１のヒンジサポート（３４）を横断して平らで直線状になることを容易にする、ことを特徴とする請求項６に記載の巻き取り式ディスプレイシステム。
【請求項９】
前記少なくとも１つのヒンジサポート（３３、３４）の第１のヒンジサポートは、前記少なくとも１つの固定ベースサポート（３１、３２）の第１の固定ベースサポートにヒンジ接続された第１のアーチセグメントを含む、ことを特徴とする請求項２に記載の巻き取り式ディスプレイシステム。
【請求項１０】
前記第１のアーチセグメントは、前記第１の固定ベースサポートに対して回動可能であり、これにより、前記第１のヒンジサポートを、開状態と閉状態の間で移動させる、ことを特徴とする請求項９に記載の巻き取り式ディスプレイシステム。
【請求項１１】
前記第１のアーチセグメントは、前記少なくとも１つの固定ベースサポート（３１、３２）の第２の固定ベースサポートにさらにヒンジ接続されている、ことを特徴とする請求項９に記載の巻き取り式ディスプレイシステム。
【請求項１２】
前記第１のアーチセグメントは、前記第１の固定ベースサポートおよび前記第２の固定ベースサポートに対して回動可能であり、これにより、前記第１のヒンジサポートの開状態と閉状態の間での移動を容易にする、ことを特徴とする請求項１１に記載の巻き取り式ディスプレイシステム。
【請求項１３】
前記少なくとも１つのヒンジサポート（３３、３４）の第１のヒンジサポートは、前記少なくとも１つの固定ベースサポート（３１、３２）の第２の固定ベースサポートにヒンジ接続された第２のアーチセグメントを含む、ことを特徴とする請求項９に記載の巻き取り式ディスプレイシステム。
【請求項１４】
前記第１のアーチセグメントは、前記第１の固定ベースサポートに対して回動可能であり、前記第２のアーチセグメントは、前記第２の固定ベースサポートに対して回動可能であり、これにより、前記第１のヒンジサポートの、前記開状態と前記閉状態の間の移動を容易にする、ことを特徴とする請求項１３に記載の巻き取り式ディスプレイシステム。
【請求項１５】
前記第１のアーチセグメントは、前記第２のアーチセグメントにヒンジ接続され、前記第１のヒンジサポートの、前記開状態と前記閉状態の間の移動をさらに容易にする、ことを特徴とする請求項１４に記載の巻き取り式ディスプレイシステム。
【請求項１６】
巻き取り式ディスプレイシステムであって、
棒状体（４０）と、
前記棒状体（４０）に巻き付けられるように構造的に構成されたフレキシブルディスプレイ（２１）であって、前記棒状体（４０）に巻き付けられて、前記フレキシブルディスプレイ（２１）の収納を容易にする、フレキシブルディスプレイ（２１）と、
前記フレキシブルディスプレイ（２１）を支持するように構造的に構成されたヒンジ付きフレーム（３０）であって、前記フレキシブルディスプレイ（２１）が前記棒状体（４０）に巻き付けられるのに応じて、前記フレキシブルディスプレイ（２１）を、前記棒状体（４０）に対して収納位置に固定するための曲線構成を有するヒンジ付きフレーム（３０）と、
を備えることを特徴とする巻き取り式ディスプレイシステム。
【請求項１７】
前記ヒンジ付きフレーム（３０）は、少なくとも１つの固定ベースサポート（３１、３２）にヒンジ接続され、前記曲線構成と前記平面構成の間で前記ヒンジ付きフレーム（３０）の移動を容易にする、少なくとも１つのヒンジサポート（３３、３４）をさらに含む、ことを特徴とする請求項１６に記載の巻き取り式ディスプレイシステム。
【請求項１８】
第１のヒンジサポート（３４）が、第１のヒンジ位置（ＨＰ１）で第１の固定ベースサポート（３１）にヒンジ接続され、第２のヒンジ位置（ＨＰ２）で第２の固定ベースサポート（３２）にヒンジ接続され、
前記フレキシブルディスプレイ（２１）のディスプレイセグメント（ＤＳ２）が、前記第１のヒンジサポート（３４）に隣接しており、前記ヒンジ付きフレーム（３０）に取り付けられておらず、
前記第１のディスプレイセグメント（ＤＳ２）の長さに関する開状態において、前記第１のヒンジサポート（３４）を横断する、前記第１のヒンジ位置（ＨＰ１）と前記第２のヒンジ位置（ＨＰ２）との間の距離は、前記ヒンジ付きフレーム（３０）が前記曲線構成にされることに応じて、前記ディスプレイセグメント（ＤＳ２）を、前記第１のヒンジサポート（３４）内で均一にしまい込むことを容易にし、前記ヒンジ付きフレーム（３０）が前記平面構成にされることに応じて、前記ディスプレイセグメント（ＤＳ２）が、前記第１のヒンジサポート（３４）を横断して平らで直線状になることをさらに容易にする、ことを特徴とする請求項１７に記載の巻き取り式ディスプレイシステム。
【請求項１９】
巻き取り式ディスプレイシステムであって、
棒状体（４０）と、
前記棒状体（４０）に巻き付けられるように構造的に構成されたフレキシブルディスプレイ（２１）であって、前記棒状体（４０）から広げられて、前記フレキシブルディスプレイ（２１）の動作を容易にする、フレキシブルディスプレイ（２１）と、
前記フレキシブルディスプレイ（２１）を支持するように構造的に構成されたヒンジ付きフレーム（３０）であって、前記フレキシブルディスプレイ（２１）が前記棒状体（４０）から広げられるのに応じて、前記フレキシブルディスプレイ（２１）を、前記棒状体（４０）に対して動作位置に固定するための平面構成を有するヒンジ付きフレーム（３０）と、
を備えることを特徴とする巻き取り式ディスプレイシステム。
【請求項２０】
前記ヒンジ付きフレーム（３０）は、少なくとも１つの固定ベースサポート（３１、３２）にヒンジ接続され、前記曲線構成と前記平面構成の間で前記ヒンジ付きフレーム（３０）の移動を容易にする、少なくとも１つのヒンジサポート（３３、３４）をさらに含む、ことを特徴とする請求項１９に記載の巻き取り式ディスプレイシステム。
【請求項２１】
第１のヒンジサポート（３４）が、第１のヒンジ位置（ＨＰ１）で第１の固定ベースサポート（３１）にヒンジ接続され、第２のヒンジ位置（ＨＰ２）で第２の固定ベースサポート（３２）にヒンジ接続され、
前記フレキシブルディスプレイ（２１）のディスプレイセグメント（ＤＳ２）が、前記第１のヒンジサポート（３４）に隣接しており、前記ヒンジ付きフレーム（３０）に取り付けられておらず、
前記第１のディスプレイセグメント（ＤＳ２）の長さに関する開状態において、前記第１のヒンジサポート（３４）を横断する、前記第１のヒンジ位置（ＨＰ１）と前記第２のヒンジ位置（ＨＰ２）との間の距離は、前記ヒンジ付きフレーム（３０）が前記曲線構成にされることに応じて、前記ディスプレイセグメント（ＤＳ２）を、前記第１のヒンジサポート（３４）内で均一にしまい込むことを容易にし、前記ヒンジ付きフレーム（３０）が前記平面構成にされることに応じて、前記ディスプレイセグメント（ＤＳ２）が、前記第１のヒンジサポート（３４）を横断して平らで直線状になることをさらに容易にする、ことを特徴とする請求項２０に記載の巻き取り式ディスプレイシステム。
【発明の詳細な説明】
【技術分野】
【０００１】
本発明は、概して、フレキシブルディスプレイに関する。本発明は、特に、フレキシブルディスプレイを効率的に巻き取り式ディスプレイに組み込むことに関する。
【背景技術】
【０００２】
巻き取り式ディスプレイシステムは、現在、ケース内に巻き込まれて、フレキシブルディスプレイの収納を容易にし、ケース内から引き出されて、フレキシブルディスプレイの動作を容易にするフレキシブルディスプレイを用いている。このような巻き取り式ディスプレイシステムの例が、米国特許出願第２００２／０１９６２０５号に開示されている。ケース内で、フレキシブルディスプレイは、ケース内の様々なディスプレイ駆動用構成要素に巻き付けることができ、ここで、フレキシブルディスプレイの回転半径は、固定されたディスプレイ駆動用構成要素をケース内で支持するために、十分に大きくしなければならず、および／またはケース内でのディスプレイ駆動用構成要素の間での移動が、フレキシブルディスプレイを巻き込む／引き出すことを容易にすることが必要とされる。このフレキシブルディスプレイを巻き込む／引き出す手法の１つの欠点は、ケースの高い携帯性を最小のコストで達成するために、ケースの最適な形状の構築に、最小寸法による制限が課されることである。
【発明の概要】
【発明が解決しようとする課題】
【０００３】
この欠点に対する１つの解決策は、棒状体に巻き付けられて、フレキシブルディスプレイの収納を容易にし、棒状体から広げられて、フレキシブルディスプレイの動作を容易にする、フレキシブルディスプレイを有する巻き取り式ディスプレイシステムである。棒状体からフレキシブルディスプレイを広げることは、フレキシブルディスプレイの十分な可読性の実現を容易にするために、フレキシブルディスプレイが平らで直線状になることを必要とする。ディスプレイ業界は、よって、フレキシブルディスプレイの十分な可読性を達成する観点から、フレキシブルディスプレイのディスプレイシステムへの組み込みの改善について絶えず努力している。
【課題を解決するための手段】
【０００４】
このために、本発明は、棒状体に巻き付けられて、フレキシブルディスプレイの収納を容易にし、棒状体から広げられて、フレキシブルディスプレイの動作を容易にする、フレキシブルディスプレイを有する巻き取り式ディスプレイシステムの新しい独自の構造形態を提供する。巻き取り式ディスプレイシステムは、フレキシブルディスプレイを支持するように構造的に構成されたヒンジ付きフレームを、さらに含む。本発明の第１の形態では、ヒンジ付きフレームは、フレキシブルディスプレイが棒状体に巻き付けられるのに応じて、フレキシブルディスプレイを棒状体に対して収納位置で固定するための曲線構成を有する。本発明の第２の形態では、ヒンジ付きフレームは、フレキシブルディスプレイを棒状体から広げるのに応じて、フレキシブルディスプレイを棒状体に対して動作位置で固定するための平面構成を有する。
【０００５】
本発明の上述の形態ならびに他の特徴および利点は、添付の図面と共に読まれる本発明の様々な実施形態の、以下の詳細な説明からさらに明らかとなる。詳細な説明および図面は、本発明の単なる例示であり、添付の特許請求の範囲によって定義される本発明の範囲およびその均等物を、限定するものではない。
【図面の簡単な説明】
【０００６】
【図１】図１は、本発明に係るフレキシブルディスプレイフォイルの一実施形態の上面図を示している。
【図２】図２は、本発明に係るフレキシブルディスプレイフォイルを支持するヒンジ付き固定ベースの一実施形態の上面図を示している。
【図３】図３および図４は、本発明に係るフレキシブルディスプレイフォイルの曲線構成および平面構成の側面図を示している。
【図４】図３および図４は、本発明に係るフレキシブルディスプレイフォイルの曲線構成および平面構成の側面図を示している。
【図５】図５および図６は、それぞれ、本発明に係る曲線構成および平面構成をとる、図３および図４に示されたフレキシブルディスプレイを支持するヒンジ付き固定ベースの第１の実施形態の側面図を示している。
【図６】図５および図６は、それぞれ、本発明に係る曲線構成および平面構成をとる、図３および図４に示されたフレキシブルディスプレイを支持するヒンジ付き固定ベースの第１の実施形態の側面図を示している。
【図７】図７および図８は、それぞれ、本発明に係る曲線構成および平面構成をとる、図３および図４に示されたフレキシブルディスプレイを支持するヒンジ付き固定ベースの第２の実施形態の側面図を示している。
【図８】図７および図８は、それぞれ、本発明に係る曲線構成および平面構成をとる、図３および図４に示されたフレキシブルディスプレイを支持するヒンジ付き固定ベースの第２の実施形態の側面図を示している。
【図９】図９は、本発明に係る棒状体の第１の実施形態の正面図を示している。
【図１０】図１０は、本発明に係る棒状体の第２の実施形態の正面図を示している。
【図１１】図１１および図１２は、それぞれ、本発明に係る収納状態および動作状態にある巻き取り式ディスプレイシステムの第１の実施形態の斜視図を示している。
【図１２】図１１および図１２は、それぞれ、本発明に係る収納状態および動作状態にある巻き取り式ディスプレイシステムの第１の実施形態の斜視図を示している。
【図１３】図１３および図１４は、本発明に係る図１１および図１２に示されている巻き取り式ディスプレイシステムのそれぞれの側面図を示している。
【図１４】図１３および図１４は、本発明に係る図１１および図１２に示されている巻き取り式ディスプレイシステムのそれぞれの側面図を示している。
【図１５】図１５は、本発明に係る動作状態にある巻き取り式ディスプレイシステムの第２の実施形態の斜視図を示している。
【図１６】図１６および図１７は、それぞれ、本発明に係る収納状態および動作状態にある、図１５に示されている巻き取り式ディスプレイシステムの側面図を示している。
【図１７】図１６および図１７は、それぞれ、本発明に係る収納状態および動作状態にある、図１５に示されている巻き取り式ディスプレイシステムの側面図を示している。
【発明を実施するための形態】
【０００７】
本発明の発明原理の１つは、棒状体に巻き付けること、および棒状体から広げることができるフレキシブルディスプレイと、ディスプレイカバーとの一体物を含むフレキシブルディスプレイフォイルを、構造的に構成することである。本発明は、フレキシブルディスプレイおよびディスプレイカバーの一体化について、どのような限定または制限も課さない。よって、用語“一体化”は、ここでは、フレキシブルディスプレイおよびディスプレイカバーの単体としての集合として広く定義され、例えば、フレキシブルディスプレイを、ディスプレイカバーの外面に取り付けること、またはフレキシブルディスプレイを、ディスプレイカバーの開いた窓または透明の窓を通してフレキシブルディスプレイを見ることが可能な、多層のディスプレイカバー内に配置することなどが挙げられる。
【０００８】
本発明は、本発明のフレキシブルディスプレイおよびディスプレイカバーの構造的構成および材料組成についても、どのような限定または制限も課さない。一実施形態において、本発明のフレキシブルディスプレイは、ポリマービジョン（Polymer Vision Ltd.）と呼ばれる現在設立中の会社によって提供されているデバイスとしてもよく、このデバイスは、基部の役割を果たす薄い／有機フィルムの裏層と、フレキシブルディスプレイの画像を駆動するためのアクティブマトリックスの役割を果たす有機電子部品の中間層と、プラスチックのシートに印刷された電子インクの上層とから成る積層されたフレキシブルディスプレイを有する。
【０００９】
実際には、本発明のフレキシブルディスプレイフォイルの具体的な実施は、本発明の商業的実施に依存し、よって、制限のないものである。以下の図１の説明は、本発明の上述の第１の発明原理を組み込んだ、本発明のフレキシブルディスプレイフォイルの例示的な実施形態を提供する。
【００１０】
図１に示されるように、フレキシブルディスプレイフォイル２０は、ディスプレイカバー２２のディスプレイ部２３に関して一体化された、フレキシブルディスプレイ２１と、ディスプレイカバー２２と、を用いる。ディスプレイカバー２２の取付部２４は、任意の従来の方法による、フレキシブルディスプレイフォイル２０の棒状体への結合を容易にする。取付部２４の寸法は、棒状体の外周よりも短く、等しく、または長く選択することができる。加えて、取付部２４の一部は、棒状体の外面および／または内面に結合することができ、および／または取付部２４の一部または全体を、棒状体に固定的に巻き付けることができる。ディスプレイカバー２２のオプションの制御部２５は、フレキシブルディスプレイ２１を制御するためのキーボードまたは他の任意の種類の機構を、必要に応じて構築することを容易にする。
【００１１】
本発明の第２の発明原理は、フレキシブルディスプレイを棒状体（すなわち、円形、楕円形、丸い角を有する長方形、丸い角を有する正方形、または他の任意の曲線断面を有する管状の構成を有するボディ）に巻き付けた際に、フレキシブルディスプレイを棒状体に対して収納位置で固定するための曲線構成を有するヒンジ付きフレームを、構造的に構成する。ヒンジ付きフリンジは、本発明の第２の発明原理の下で、フレキシブルディスプレイが棒状体から広げられた際に、フレキシブルディスプレイを棒状体に対して動作位置で固定するための平面構成（すなわち、フレキシブルディスプレイのビューイングスクリーンの単一面内での平らで直線状の構成）を有するようにさらに構造的に構成される。
【００１２】
本発明は、本発明のヒンジ付きフレームの構造的構成および材料組成に関し、どのような限定または制限も課さない。よって、実際には、本発明のヒンジ付きフレームの具体的な実施は、本発明の商業的実施に依存し、したがって、制限のないものである。一実施形態において、本発明のヒンジ付きフレームは、１つまたは複数の固定ベースサポートと、１つまたは複数のヒンジサポートとを用いて、フレキシブルディスプレイを支持する。以下の図２の説明は、２つの固定ベースサポートおよび２つのヒンジサポートを用いたヒンジ付きフレームの例示的な実施形態を提供する。
【００１３】
図２を参照すると、本発明のヒンジ付きフレーム３０は、取付部２４がヒンジ付きフレーム３０に遮られていない状態で、フレキシブルディスプレイフォイル２０を部分的に囲んでいる。ヒンジ付きフレーム３０は、２つの固定ベースサポート３１および３２と、２つのヒンジサポート３３および３４とを用い、各サポート３１〜３４は、フレキシブルディスプレイフォイル２０を縦断して延びている。ヒンジサポート３３は、固定ベースサポート３１にヒンジ接続され、これにより、ヒンジサポート３３は、固定ベースサポート３１に対して回動可能となる。ヒンジサポート３３は、また、棒状体に対してヒンジ接続されてもよく、これにより、ヒンジサポート３３は、棒状体に対して追加的に回動可能となる。ヒンジサポート３４は、固定ベースサポート３１および３２にヒンジ接続され、これにより、ヒンジサポート３３は、固定ベースサポート３１および３２に対して回動可能となる。
【００１４】
本発明に係るヒンジ付きフレームの固定ベースサポートとヒンジサポートの間の回動的な相互作用をより詳細に述べるために、図３は、フレキシブルディスプレイの３つのディスプレイセグメントＤＳ１〜ＤＳ３を、フレキシブルディスプレイの曲線断面で示しており、ディスプレイセグメントＤＳ１およびＤＳ３は、平面形状を有し、ディスプレイセグメントＤＳ２は、ディスプレイセグメントＤＳ２を棒状体に均一に巻き付けるように設計されたほぼ一定の半径Ｒ１の曲線形状にある。“ほぼ一定の半径Ｒ１”は、ディスプレイセグメントＤＳ２の半径Ｒ１が、好ましくは一定となり得るが、半径は、隣接するディスプレイセグメント（ＤＳ１，ＤＳ３）との接続と、両方の接続の間のディスプレイセグメントＤＳ２の中間との間で、最大で約３５％の偏位を示してもよいことを意味している。この変位により、ディスプレイセグメントＤＳ２の断面は、棒状体の端部の断面に適合され、なおも、ディスプレイセグメントＤＳ２を棒状体に均一に巻き付けることが可能である。より大きな変位は、ディスプレイの破損、および許容可能でない棒状体の体積についての大きすぎるリスクをもたらす。製造上の理由から、Ｒ１の偏位は、約３〜６％である。あるいは、ディスプレイセグメントＤＳ２は、隣接するディスプレイセグメントＤＳ１，ＤＳ３との接続から、局部的により小さなほぼ一定のＲ１と、セグメントＤＳ２の中間においてより大きなＲ１とを有する、ほぼ楕円形のアーチを示してもよい。また、この構成では、ディスプレイセグメントの断面は、上端がいくらか平坦な面を示す棒状体の端部の断面に適合されている。逆に、図４は、全てのディスプレイセグメントＤＳ１〜ＤＳ３が平面形状を有するフレキシブルディスプレイを、平面断面で示している。図３および図４を参照すると、ディスプレイセグメントＤＳ１およびＤＳ３は、ヒンジ付きフレームの固定ベースサポートに隣接して取り付けられており、よって、フレキシブルディスプレイが棒状体に巻き付けられているか、または棒状体から広げられているかにかかわらず、常に平面断面となる。対照的に、ディスプレイセグメントＤＳ２は、ヒンジ付きフレームのヒンジサポートに隣接して取り付けられている。このように、取付点ＡＰ１およびＡＰ２を、ディスプレイセグメントＤＳ２の端点として識別することは、隣接するヒンジサポート内で、ディスプレイセグメントＤＳ２が、図３に示される曲線断面となることに応じて、その全長Ｌ１にわたって均一にしまい込まれることを確実とし、かつディスプレイセグメントＤＳ２が、図４に示される平面断面となることに応じて、その全長Ｌ１にわたって、隣接するヒンジサポートに対して平らで直線状であること、を確実とするために、不可欠である。
【００１５】
特に、図５は、ヒンジ点ＨＰ１で固定ベースサポートＢＳ１にヒンジ接続されたアーチセグメントＡＳ１と、ヒンジ点ＨＰ３で固定ベースサポートＢＳ２にヒンジ接続されたアーチセグメントＡＳ２と、を有し、アーチセグメントＡＳ１およびＡＳ２が、ヒンジ点ＨＰ２でヒンジ接続されているヒンジサポートを示している。ヒンジ点ＨＰ１およびＨＰ３の間の距離Ｄ１は、アーチセグメントＡＳ１を横断して延びており、ヒンジ点ＨＰ２およびＨＰ３の間の距離Ｄ２は、アーチセグメントＡＳ２を横断して延びている。取付点ＡＰ１およびヒンジ点ＨＰ１の間の距離Ｄ３（図６に示す）は、固定ベースサポートＢＳ１を横断して延びており、ここでＤ３≧０である。また、取付点ＡＰ２とヒンジ点ＨＰ３の間の距離Ｄ４（図６に示す）は、固定ベースサポートＢＳ２を横断して延びており、距離Ｄ４は、好ましくは距離Ｄ３と等しい。
【００１６】
距離Ｄ１〜Ｄ４の合計は、ディスプレイセグメントＤＳ２の長さＬ１と等しくなければならず、それは、ディスプレイセグメントＤＳ２が、閉状態にあるアーチセグメントＡＳ１およびＡＳ２に基づく図５に示される曲線形状を有する際に、アーチセグメントＡＳ１およびＡＳ２内で、その全長Ｌ１にわたって均一にしまい込まれることを確実にし、かつ、ディスプレイセグメントＤＳ２が、開状態にあるアーチセグメントＡＳ１およびＡＳ２に基づく図６に示される平面形状を有する際に、アーチセグメントＡＳ１およびＡＳ２に対して、その全長Ｌ１にわたって平らで直線状であることを確実にするためである。当業者は、アーチセグメントＡＳ１およびアーチセグメントＡＳ２の巻き取り半径が、ディスプレイセグメントＤＳ１（図３）の巻き取り半径Ｒ１に基づいており、距離Ｄ３およびＤ４を決定するものであることを、理解するであろう。
【００１７】
さらなる例によると、図７および図８は、ヒンジ点ＨＰ４で固定ベースサポートＢＳ１にヒンジ接続され、ヒンジ点ＨＰ５で固定ベースサポートＢＳ２にヒンジ接続された１つのアーチセグメントＡＳ３を有するヒンジサポートを示している。ヒンジ点ＨＰ４およびＨＰ５の間の距離Ｄ５は、アーチセグメントＡＳ３を横断して延びている。取付点ＡＰ３およびヒンジ点ＨＰ４の間の距離Ｄ６は、固定ベースサポートＢＳ１を横断して延びており、Ｄ６≧０である。また、取付点ＡＰ４とヒンジ点ＨＰ５の間の距離Ｄ７は、固定ベースサポートＢＳ２を横断して延びており、距離Ｄ７は、好ましくは距離Ｄ６と等しい。
【００１８】
距離Ｄ５〜Ｄ７の合計は、ディスプレイセグメントＤＳ２の長さＬ１と等しくなければならず、それは、ディスプレイセグメントＤＳ２が、閉状態にあるアーチセグメントＡＳ３に基づく図７に示される曲線形状を有する際に、アーチセグメントＡＳ３内で、その全長Ｌ１にわたって均一にしまい込まれることを確実にし、かつ、ディスプレイセグメントＤＳ２が、開状態にあるアーチセグメントＡＳ３に基づく図８に示される平面形状を有する際に、アーチセグメントＡＳ３に対して、その全長Ｌ１にわたって平らで直線状であることを確実にするためである。当業者は、アーチセグメントＡＳ３の半径が、ディスプレイセグメントＤＳ２の巻き取り半径Ｒ１（図３）に基づいており、距離Ｄ２および距離Ｄ３を決定するものであることを、理解するであろう。
【００１９】
本発明の第３の発明原理は、フレキシブルディスプレイフォイル（例えば図１）を棒状体に巻き付けるかまたはフレキシブルディスプレイフォイルを棒状体から広げる際に、その内部構成要素（例えば駆動用電子部品、コネクタ等）およびその外部構成要素（例えばボタンおよびインターフェイススロット）の最適な構造的構成を、これらの構成要素を動かす必要なく支持するように、棒状体（例えば周囲に物体を巻き付けるのに適した、任意の種類の中空ボディ）を構造的に構成することである。本発明は、本発明の棒状体の構成要素の構造的構成および材料組成について、どのような限定または制限も課さない。よって、実際には、本発明の棒状体の具体的な実施は、本発明の商業的実施に依存し、よって、制限のないものである。以下の図９および図１０の説明は、本発明の上述の第３の発明原理を組み込んだ棒状体の例示的な実施形態を提供する。
【００２０】
一実施形態において、図９に示されるように、棒状体４０は、内部に空洞４２を定義する円筒形ハウジング４１を用い、空洞は、標準的な構成（例えばプリント回路基板）において、内部構成要素の固定組み込みを容易にする。円筒形ハウジング４１の断面は、円形、楕円形、丸い角を有する長方形、丸い角を有する正方形、または他の任意の曲線断面とすることができ、円筒形ハウジング４１の任意の点での外側半径は、本発明で用いられるフレキシブルディスプレイの最少巻き取り半径以上とすべきである。加えて、ハウジング４１は、部分的または全体的に分離可能な、その内部構成要素の修理または交換を容易にする、２つ以上のセグメントを含むことができる。
【００２１】
第２の実施形態において、図１０に示されるように、棒状体４３は、プラットフォーム４４をさらに用いており、フレキシブルディスプレイフォイルが棒状体４３に巻き付けられた際、例えばフレキシブルディスプレイフォイル２０（図１）が棒状体４３に巻き付けられた際などに、フレキシブルディスプレイを保護するための構造的構成を有するプラットフォーム４４によって、ハウジング４１を囲んでいる。同時にまたは代わりに、プラットフォーム４４は、例えばフレキシブルディスプレイフォイルの背面に一体化された第２のディスプレイなどの、追加のディスプレイおよび／またはディスプレイ制御機構を支持してもよい。
【００２２】
図９〜図１２は、本発明の３つの発明原理のすべてを組み込んだ、本発明の巻き取り式ディスプレイシステム５０を示している。示されるように、巻き取り式ディスプレイシステム５０は、棒状体７０に結合されたフレキシブルディスプレイフォイル６０を用いる。フレキシブルディスプレイフォイル６０の、ヒンジ付きフレーム８０の固定ベースサポート８１および８２に隣接する部分は、固定ベースサポート８１および８２に固定して接続されている。ヒンジ付きフレーム８０のヒンジサポート８３は、フレキシブルディスプレイフォイル６０に取り付けられておらず一対のブラケット（ブラケット８５のみが示されている）を介して棒状体７０にヒンジ接続された、１つのアーチセグメントを有する。ヒンジサポート８３は、フレキシブルディスプレイフォイル６０に取り付けれておらず固定ベースサポート８１にヒンジ接続された、もう１つのアーチセグメントをさらに有する。ヒンジ付きフレーム８０のヒンジサポート８５は、フレキシブルディスプレイフォイル６０に取り付けられておらず固定ベースサポート８１にヒンジ接続された、１つのアーチセグメントを有する。ヒンジサポート８３は、フレキシブルディスプレイフォイル６０に取り付けられておらず固定ベースサポート８２にヒンジ接続された、もう１つのアーチセグメントをさらに有する。なお、ヒンジサポート８３および８５は、代わりに、２つを超える、例えば３つのアーチセグメントを備えてもよいことに留意されたい。
【００２３】
図９および図１１は、曲線構成をとるヒンジ付きフレーム８０を示しており、ここで、フレキシブルディスプレイフォイル６０は、棒状体７０に巻き付けられ、ヒンジ付きフレーム８０のサポート８１〜８４によって定義された収納位置にある。逆に、図１０および図１２は、平面構成をとるヒンジ付きフレーム８０を示しており、ここで、フレキシブルディスプレイフォイル６０は、棒状体７０から広げられ、ヒンジ付きフレーム８０のサポート８１〜８４によって定義された動作位置にある。
【００２４】
図１５〜図１７は、本発明の３つの発明原理を組み込んだ、本発明の巻き取り式ディスプレイシステム１００を示している。示されるように、巻き取り式ディスプレイシステム１００は、棒状体１２０に結合されたフレキシブルディスプレイフォイル１１０を用いる。フレキシブルディスプレイフォイル１１０の、ヒンジ付きフレーム１３０の固定ベースサポート１３１および１３２に隣接する部分は、固定ベースサポート１３１および１３２に固定して接続されている。ヒンジ付きフレーム１３０のヒンジサポート１３３は、フレキシブルディスプレイフォイル１１０に取り付けられておらず、一対のブラケット（ブラケット１３５のみ図示）を介して棒状体１２０にヒンジ接続され、固定ベースサポート１３１にヒンジ接続された、１つのアーチセグメントを有する。ヒンジ付きフレーム１３０のヒンジサポート１３３は、フレキシブルディスプレイフォイル１１０に取り付けられておらず、ベースサポート１３１および１３２にヒンジ接続された、１つのアーチセグメントを有する。
【００２５】
図１６は、曲線構成をとるヒンジ付きフレーム１３０を示しており、ここで、フレキシブルディスプレイフォイル１１０は、棒状体１２０に巻き付けられ、ヒンジ付きフレーム１３０のサポート１３１〜１３４によって定義された収納位置にある。逆に、図１５および図１７は、平面構成をとるヒンジ付きフレーム１３０を示しており、ここで、フレキシブルディスプレイフォイル１１０は、棒状体１２０から広げられ、ヒンジ付きフレーム１３０のサポート１３１〜１３４によって定義された動作位置にある。
【００２６】
当業者は、本発明のヒンジ付きフレームが、フレキシブルディスプレイフォイルの下で全体的に延びても、延びなくてもよいヒンジサポートおよび固定ベースサポートを含み得ることを理解するであろう。
【００２７】
当業者は、本発明の様々な利点および利益を理解するであろう。この利点や利益は、フレキシブルディスプレイおよびヒンジサポートの異なる巻き取り半径によるどのような長さの差も補償されるように、固定ベースサポートに沿って選択される位置を、固定ベースサポートおよびヒンジを移動するためのヒンジサポートによって、フレキシブルディスプレイが必要としない領域で、フレキシブルディスプレイが固定ベースサポートに取り付けられていることを含むが、これに限定されない。
【００２８】
本発明のフレキシブルディスプレイフォイルは、本発明の棒状体に巻き付けらる際に、従来の方法、例えば、本発明のディスプレイカバーに一体化されたスナップアセンブリまたはベルクロ（Velcro(登録商標)）アセンブリなどによって、ロックすることができる。
【００２９】
本発明の上述の説明から、当業者は、本発明の様々な利点を理解するであろう。特に、フレキシブルディスプレイのために、十分な可読性と、適切な収納とを提供するための、ヒンジ付きフレームの構築である。
【００３０】
ここで開示された本発明の実施形態が、現在、好適であるとみなされる一方、本発明の要旨および範囲から逸脱することなしに、様々な変更および修正を行うことができる。本発明の範囲は、添付の特許請求の範囲に示されており、均等物の意味および範囲内にある全ての変更は、その範囲に包含されることを意図している。
【図１】
2010508557.tif 000003
【図２】
2010508557.tif 000004
【図３】
2010508557.tif 000005
【図４】
2010508557.tif 000006
【図５】
2010508557.tif 000007
【図６】
2010508557.tif 000008
【図７】
2010508557.tif 000009
【図８】
2010508557.tif 000010
【図９】
2010508557.tif 000011
【図１０】
2010508557.tif 000012
【図１１】
2010508557.tif 000013
【図１２】
2010508557.tif 000014
【図１３】
2010508557.tif 000015
【図１４】
2010508557.tif 000016
【図１５】
2010508557.tif 000017
【図１６】
2010508557.tif 000018
【図１７】
2010508557.tif 000019
【国際調査報告】
2010508557.tif 000020
2010508557.tif 000021
2010508557.tif 000022